(57)【特許請求の範囲】
【請求項１】
固定部材と、該固定部材に回転自在に軸支された操作軸と、該操作軸に取り付けられて回転可能な回転体と、前記操作軸を挿通し、金属のバネ板から成るクリック用の板バネとを備え、該板バネは、基部と、両端が前記基部に連結されたリング状のアーム部と、該アーム部の中央部に折曲げにより形成された凸部と、該凸部に対して前記操作軸を挟んで対向する位置の前記基部に、折曲げにより形成された凸部とで構成され、前記回転体と前記固定部材の何れか一方にはクリック用の凹凸部が設けられ、他方には前記クリック用の板バネの基部が取り付けられ、前記操作軸の回転で、前記板バネのアーム部に設けた凸部が前記凹凸部に係脱するようにしたことを特徴とした回転型電気部品
【請求項２】
前記板バネは、リング状のアーム部内に位置するリング状の回転トルク用のバネ部を有し、該バネ部は、前記二つの凸部を結ぶ線を境にして何れか一方に位置する基部、或いはアーム部に連結され、該バネ部を、前記固定部材と回転体との間に位置させて、それぞれに弾接させたことを特徴とする請求項１記載の回転型電気部品。
【発明の詳細な説明】
【０００１】
【発明の属する技術分野】
本発明は、可変抵抗器、回転型スイッチ等のクリック付の回転型電気部品に関する。
【０００２】
【従来の技術】
従来の回転型電気部品を図７〜図１１に基づいて説明する。まず、図７に示すように操作軸１は、回転中心に金属製の操作軸１が配置されている。そして、この操作軸１は摘み部１ａと、該摘み部１ａに連設して摘み部１ａより外径の大きい鍔部１ｂを形成し、該鍔部１ｂをはさんで摘み部１ａの反対側には、前記摘み部１ａより外径の小さい嵌合部１ｃと、該嵌合部１ｃの先端側にはスリ落とし部１ｄを形成している。
また、前記操作軸１を回転自在に軸支する軸受け２は、亜鉛ダイカスト等から成り、図７に示すように中心部に操作軸１を軸支する軸孔２ａと、該軸孔２ａと同心円状の凹部２ｂと、この凹部２ｂの底面上には、複数個の突出部２ｃと谷部２ｄとを放射状に形成している。
また、軸孔２ａを構成するために軸受け２の外部にはボス部２ｅを突出形成して、内部には環状突堤２ｆを形成している。
【０００３】
また、前記軸受け２は、一対の絶縁基板４、４’が取り付けられた金属製のカバー５の取付脚（図示せず）を、該軸受け２の取付孔（図示せず）に挿入して、カシメ等により取り付けている。
また、前記一対の絶縁基板４、４’の間には操作軸１と共に回転する、絶縁材料から成る摺動子受け６を、図７に示すように、操作軸１のスリ落とし部１ｄに挿入して、スリ落とし部１ｄの先端をカシメにより取り付けている。
また、摺動子受け６の外周側の一部にストッパ用突起６ａを配置して、該ストッパ用突起６ａがカバー５の切り起こし突片５ａに当接して操作軸１の回転角度を規制することができるようになっている。
また、前記摺動子受け６の上面と下面とには、一対の摺動子７、７’が固着され、前記絶縁基板上４、４’上に形成されている抵抗体９・９に摺接されるようになっている。
【０００４】
また、軸受け２の環状突堤２ｆと摺動子受け６との間には、操作軸１のスリ落とし部１ｄの根元部分に圧入して、操作軸１の回転にあわせて回転する板バネ８を配置している。
この板バネ８は板状のバネ材料を打ち抜きされて形成され、図８・図９に示すように外形が略Ｄ状に形成して、円弧状のクリック用アーム８ａと、小判形状の基部８ｄと、前記クリック用アーム８ａの根元部分と基部８ｄとを連結する２つの連結部８ｆ・８ｆとからなっている。
また、前記クリック用アーム８ａは、図９に示すように、根元部分の前記連結部８ｆとの接続部分に折り曲げ線８ｊを形成して、該折り曲げ線８ｊから斜め下方に折り曲げている。
また、前記クリック用アーム８ａと基部８ｄとの間にはスリット８ｃが形成されて、該スリット８ｃを挟んだ位置の基部８ｄの中央部には、小判形状の軸孔８ｅを形成して、該軸孔８ｅに操作軸１のスリ落とし部１ｄに圧入されて取り付けられている。
また、このクリック用アーム８ａの円弧状先端の中央部には絞り加工によって肉厚が薄くなった凸部８ｂを端部側の下方に突出形成している。そして、この凸部８ｂが前記軸受け２の凹部２ｂの谷部２ｄに係合して操作軸１にクリック感を得ることができるようになっている。
前述のように、凸部８ｂを突き出しによる絞り加工を行っている理由は、凸部８ｂを挟んで両側に位置する二つの、凸部８ｂと連結部８ｆ間の部分が、互いにねじれ、変形等を生じさせること無く、打ち抜きされた状態を維持して、凸部８ｂを、突出部２ｃと谷部２ｄとに正常に係脱させるためである。
また、絶縁基板４、４’の一方側には摺動子７の回転によって変化する抵抗値等を外部に導出する端子１０・１０が配置されている。
また、操作軸１の鍔部１ｂと軸受け２のボス部２ｅ先端との間には、図１０に示すようなリン青銅条等から成る、軸孔１１ａを有するウエーブ状のバネワッシャ１１を狭持している。
そして、操作軸１を回転させると、前記ウエーブ状のバネワッシャ１１が操作軸１の鍔部１ｂと軸受け２との間で摩擦して、この摩擦抵抗により操作軸１に所定の回転トルクを得ることができるようになっている。
【０００５】
前述したような構成の従来の回転型電子部品の組立は、操作軸１の摘み部１ａを図示しない組立治具に保持して、操作軸１を直立させて取り付ける。
そして該操作軸１のスリ落とし部１ｄの先端から、バネワッシャ１１を挿入して、鍔部１ｂ上に位置させる。
次に、操作軸１のスリ落とし部１ｄの先端から軸受け２の軸孔２ａを挿入して、軸受け２を操作軸１の嵌合部１ｃに嵌合させる。
次に、操作軸１のスリ落とし部１ｄに板バネ８の小判形状の軸孔８ｅを位置合わせして、前記組立治具で軸受け２の環状突提２ｆにぶつかるまで、前記板バネ８を圧入する。
すると、板バネ８のクリック用アーム８ａの凸部８ｂが、図１１に示すように軸受け２の凹部２ｂの谷部２ｄに係合する。
【０００６】
次に、図７中下側の基板１０を組み込み、その後、事前に別工程で準備している、摺動子７・７’を取り付けた摺動子受け６の軸孔６ｃを、操作軸１のスリ落とし部１ｄに位置合わせして挿入する。
すると、操作軸１のスリ落とし部１ｄに圧入止めされている板バネ８の基部８ｄに摺動子受け６の一端が当接する。
【０００７】
次に、前記組立治具で摺動子受け６を下方に押圧して、前記組立治具のカシメポンチ（図示せず）で操作軸１のスリ落とし部１ｄ先端をハンドプレス等でカシメ付ける。
そして、次に、カバー５の下側の取付脚（図示せず）を、下側の基板１０、軸受け２の取付孔（図示せず）に挿通するように載置し、その後カバー５の上側の取付脚（図示せず）に上側の基板１０を載置し、前記組立治具とは別のカシメ治具でカバー５の下側の取付脚を軸受け２にカシメ付けると共に上側の取付脚を上側の基板１０にカシメ付けて、従来の回転型電気部品の組立が終了する。
【０００８】
前述のような手順で組み立てられた従来の回転型電気部品は、操作軸１を回転させると、板バネ８のクリック用アーム８ａの凸部８ｂが、軸受け２の凹部２ｂ内の突出部２ｃと谷部２ｄとに弾接移動して、操作軸１にクリック感を得ることができる。
また、ウエーブ状のバネワッシャ１１の弾性力で操作軸１の鍔部１ｂと軸受け２との間に摩擦抵抗が生じて、操作軸１に回転トルクを得ることができる。
【０００９】
【発明が解決しようとする課題】
しかし、前述したような従来の回転型電気部品は、板バネ８に設けられたクリック用の凸部８ｂは、突き出しによる絞り加工であるため、強いクリック感を得るための大きな突き出し形状を持たせることが困難で、強いクリック感を得るために制約があるという問題がある。
また、クリック用の板バネ８は、回転型電気部品の小型化に伴い大きさに制約を受け、この点からも板バネ８を大きくすることが出来ず、強いクリック感を得るために制約があるという問題がある。
【００１０】
また、凸部８ｂは絞り加工で薄肉と成っているため、クリックの寿命が短いという問題がある。
また、クリック感を得るための板バネ８と、回転トルクを得るためのバネワッシャ１１とが、それぞれ別になっていたため、部品点数が多く、そのために組立に時間が掛かり、従来の回転型電気部品がコストアップになっていた。
【００１１】
また、前記従来の回転型電気部品の板バネ８は、操作軸１の小判形状のスリ落とし部１ｄに圧入して取り付ける際に、板バネ８とスリ落とし部１ｄとの嵌合しろが短いため、ガタ無く圧入しようとすると基部８ｄが変形し、摺動子受け６の取付位置が変わるという問題があった。
また、ガタがある状態で取り付けられると所定の位置でクリック感を生じさせることが出来ないという問題があった。
【００１２】
【課題を解決するための手段】
前記課題を解決するするための第１の手段として、固定部材と、該固定部材に回転自在に軸支された操作軸と、該操作軸に取り付けられて回転可能な回転体と、前記操作軸を挿通し、金属のバネ板から成るクリック用の板バネとを備え、該板バネは、基部と、両端が前記基部に連結されたリング状のアーム部と、該アーム部の中央部に折曲げにより形成された凸部と、該凸部に対して前記操作軸を挟んで対向する位置の前記基部に、折曲げにより形成された凸部とで構成され、前記回転体と前記固定部材の何れか一方にはクリック用の凹凸部が設けられ、他方には前記クリック用の板バネの基部が取り付けられ、前記操作軸の回転で、前記板バネのアーム部に設けた凸部が前記凹凸部に係脱するようにした構成とした。
【００１３】
また、前記課題を解決するするための第２の手段として、前記板バネは、リング状のアーム部内に位置するリング状の回転トルク用のバネ部を有し、該バネ部は、前記二つの凸部を結ぶ線を境にして何れか一方に位置する基部、或いはアーム部に連結され、該バネ部を、前記固定部材と回転体との間に位置させて、それぞれに弾接させた構成とした。
【００１４】
【発明の実施の形態】
本発明の１実施の形態の回転型電気部品を図１〜図６に示すような可変抵抗器で説明する。まず、図１の要部組立断面図に示すように、その回転中心には、アルミ等の金属からなる操作軸２１が配置されている。
この操作軸２１は、摘み部２１ａと、該摘み部２１ａに連設して摘み部２１ａの外径寸法より大きい鍔部２１ｂと、該鍔部２１ｂをはさんで前記摘み部２１ａの反対側には、後述する軸受け部２２が嵌合する円形の嵌合部２１ｃと、該嵌合部２１ｃの先端側には小判形状のスリ落とし部２１ｄと、該スリ落とし部２１ｄの先端に軸細のガイド部２１ｅとが形成されている。また、該ガイド部２１ｅと前記スリ落とし部２１ｄ先端とが交わる部分には平坦な段部２１ｆが形成されている。
【００１５】
また、本発明の回転型電気部品には、前記操作軸２１を回転自在に軸支する軸受け部２２が形成されて、この軸受け部２２には後述するクリック感および回転トルクを生じさせるための部材を収納する筺体２３が一体に形成されている。
そして、固定部材を構成する前記軸受け部２２と筺体２３とは、亜鉛ダイカスト等により一体に形成されて、図２（Ａ）の正面図、図２（Ｂ）の側面図に示すように、中心部に軸孔２２ａが形成されたボス部２２ｂが配置されて、該ボス部２２ｂは、外形が略矩形の筺体２３の側板２３ｂの略中央部から前方に突出して形成されている。
また、前記側板２３ｂの外周には所定の高さの側壁２３ａが形成されて、筺体２３の外周を遮蔽するようになっている。
そして、この筺体２３は、後方側が開放されて前記側板２３ｂが、開放された後方から見えるようになっている。
また、図２（Ａ）に示すように、前記側板２３ｂの下方側の両側で、左右の側壁２３ａに近い位置に、図１に示すような先端が幅広で鍔状になったＴ状の角形突起２３ｃ・２３ｃが開放内部に突出形成されている。
また、図１に示すように、前記角形突起２３ｃの根元部分には、ダイカスト成形加工で前記先端の鍔状部を形成するための角孔２３ｊ・２３ｊがそれぞれ形成されている。
また、前記２つの角形突起２３ｃの間には、径の小さな丸突起２３ｈ・２３ｈが前記側板２３ｂから開放部に向かって突出形成されている。
また、図２（Ａ）に示すように、前記前記側板２３ｂの角形突起２３ｃが形成されている位置と反対側で、軸孔２２ａの上方には、所定の幅と、厚さと、高さのストッパ部２３ｄが突出形成されている。
また、前記側壁２３ａの上面の４隅には円形のスペーサ取付突起２３ｅが、それぞれ突出形成されている。
また図２（Ａ）に示す左右の側壁２３ａの外面には、それぞれ２個のガイド溝２３ｆが形成されて、後述する取付板３０の取付脚３０ａが位置決めされるようになっている。
また、図２（Ｂ）に示すように、前記それぞれのガイド溝２３ｆの途中には、小さい矩形の突起２３ｋが溝幅方向に突出して形成されている。
また、前記ガイド溝２３ｆに連設する側板２３ｂの前面には段部２３ｇが形成されて、該段部２３ｇに後述する取付板３０の取付脚３０ａの先端をカシメ付けるようになっている。
【００１６】
また、前記筺体２３の側板２３ｂに取り付けられたクリック用の板バネ２４は、リン青銅板等の弾性を有する材料から成り、前記筺体２３の角形突起２３ｃと丸突起２３ｈとに圧入およびカシメ等により取り付けられている。
そして、該板バネ２４は、図３（Ａ）の正面図、図３（Ｂ）の側面図、図６の分解斜視図に示すように、平坦状の基部２４ａが、中央部に折り曲げ加工により形成された略半円形状の凸部２４ｍをはさんで、左右両側に形成されている。
また、板バネ２４の基部２４ａには、該基部２４ａから斜め上方に延びて中央部に折り曲げ加工によって形成された略半円形状の凸部２４ｊを有し、その外形がＵ型のリング状で、両端が基部２４ａに連結したクリック用アーム部２４ｂと、該クリック用アーム部２４ｂのリング状の内側の空隙部２４ｃに、前記基部２４ａの一方側に連結部２４ｐで連結されたリング状の回転トルク用湾曲部２４ｋを有するバネ部２４ｄを設けている。
即ち、前記凸部２４ｊと凸部２４ｍは、折曲げ加工により形成されているため、肉厚は薄くなることなく、しかも、強いクリックに必要な大きな凸部２４ｊを自由に形成でき、また、両凸部２４ｊ，２４ｍは板バネ２４の中心Ｏを挟んで互いに反対側に形成されているため、中心Ｏと凸部２４ｊと凸部２４ｍとを結ぶ線Ｓを境にして、両側に位置する二つのアーム２４ｂと基部２４ａは、ねじれ、変形等を生じることなく、左右対称な形状になっており、そして、リング状のバネ部２４ｄ内に操作軸２１が挿入された際は、前記凸部２４ｊと凸部２４ｍは、操作軸２１を挟んで対向する位置に配設された状態となっている。
また、前記バネ部２４ｄは、前記線Ｓを境にして一方側に位置する基部２４ａ（アーム部２４ｂでも良い）に連結部２４ｐによって連結されているため、凸部２４ｊ，２４ｍが折り曲げられても、バネ部２４ｄはねじれ、変形等を生じることなく、元の状態が維持されている。
そして、図３（Ａ）に示すように、前記基部２４ａの左右２箇所に角孔２４ｅ・２４ｅが形成されて、該角孔２４ｅを形成する相対向する２辺には舌片２４ｆ・２４ｆが図３（Ｂ）に示すように、基部２４ａを切り起こし加工して、先端に行くほど寸法が狭くなるハ状に形成されている。
また、前記２つの角孔２４ｅ・２４ｅの間には、小さい径の丸孔２４ｇ・２４ｇが形成されている。
そして、前記筺体２３の角形突起２３ｃ先端の鍔状部に角孔２４ｅの舌片２４ｆ・２４ｆが圧入され、丸突起２３ｈが丸孔２４ｇに挿入されて、丸突起２３ｈの先端をカシメて板バネ２４が筺体２３に取り付けられている。
【００１７】
また、前記クリック用アーム部２４ｂは、前記基部２４ａの折り曲げ線２４ｈから斜めに所定の角度で折り曲げられて、前記凸部２４ｊは前記クリック用アーム２４ｂの折り曲げ方向と同方向に突出形成されている。
また、前記基部２４ａに連結されたバネ部２４ｄは、内部に孔２４ｎを有するリング状に形成されて、その左右には前記クリック用アーム部２４ｂと同方向の斜めに湾曲形成された回転トルク用湾曲部２４ｋ・２４ｋが形成されている。
また、クリック用アーム部部２４ｂ先端の凸部２４ｊに押圧荷重が加わると、図３（Ｂ）の破線に示すような状態で撓むことができるようになっている。
【００１８】
また、回転体２５は図４・図６に示すように、樹脂材料等で円盤状に形成されて、外径の大きい円形部２５ａと外径の小さいボス部２５ｂとからなっている。
そして、該ボス部２５ｂは前記円形部２５ａの中央部下面に突出形成されて、このボス部２５ｂの中心部には、前記操作軸２１のスリ落とし部２１ｄが嵌合できる形状の小判形状の軸孔２５ｃが貫通して形成されている。
また、ボス部２５ｂの下面は平坦部２５ｄと突出部２５ｊとで二段に形成されて、該突出部２５ｊは前記板バネ２４のバネ部２４ｄの孔２４ｎが位置するようになっている。
【００１９】
また、図６に示すように、円形部２５ａの下面の外周側の略半周部分には、複数の山形の凹凸から成る凹凸部２５ｅが形成されている。また、該凹凸部２５ｅが形成されていない半周部分側には、前記ボス部２５ｂに接して突出形成されたストッパ２５ｆが配置されている。
そして、前記操作軸２１のスリ落とし部２１ｄに、回転体２５の軸孔２５ｃが挿入されて、前記操作軸２１が回転すると前記回転体２５が回転して、この回転体２５のストッパ２５ｆが、前記筺体２３のストッパ部２３ｄに当接して、回転体２５の回転角度が規制されるようになっている。
また、前記回転体２５の円形部２５ａ上面には、摺動子片２６が熱カシメ等で固着されている。
そして、前記スリ落とし部２１ｄ先端の段部２１ｆがカシメられて、前記筺体２３の開放内部で操作軸２１と回転体２５とが抜け止めされて一体化されている。
【００２０】
また、図１に示すように、前記摺動子片２６が固着された回転体２５の上方には、樹脂材料等からなる板状の回転体当接部材であるスペーサ２７が、前記筺体２３の側壁２３ａのスペーサ取付突起２３ｅに挿入されて仮止めされている。
そして、前記スペーサ２７は、図５（Ａ）の正面図、図５（Ｂ）の側面図に示すように、外形が略矩形に形成されて、その中央部に前記摺動子片２６を挿通する円形の大きめの孔２７ａが形成されて、該孔２７ａの周囲には、後述する抵抗体基板２８を位置決めして仮止めする段部２７ｂと２個のフック部２７ｃとが形成されている。
そして、該２個のフック部２７ｃは、前記孔２７ａの円周上の対向する位置に突出形成されて、その先端が鈎状になっている。
また、図５（Ａ）に示すスペーサ２７の左右の側面には、後述する取付板３０の取付脚３０ａを案内するガイド溝２７ｄがそれぞれ形成されている。
また、前記段部２７ｂおよびフック部２７ｃとが形成されている反対側の面には、外形が円形で平坦な段部２７ｆが突出して形成されている。そして、回転型電気部品に回転体押圧部材である前記スペーサ２７を組み込むと、該スペーサ２７の段部２７ｆが、前記回転体２５の摺動子片２６が固着されている側の円形部２５ａの外周寄りと当接するようになっている。
また、前記スペーサ２７の４つのコーナ部には円形の突起２７ｅが所定の高さでそれぞれ形成されている。
【００２１】
また、前記スペーサ２７の段部２７ｂには、フェノール樹脂等からなる抵抗体基板２８が前記スペーサ２７のフック部２７ｃ・２７ｃに仮止めされて取り付けられている。
また、前記抵抗体基板２８は一方側の面に、図６の分解斜視図に示すような抵抗体パターン２８ａが印刷等で形成されて、該抵抗体パターン２８ａに前記摺動子片２６が弾接して摺動するようになっている。また、抵抗体基板２８の端部には金属等からなる複数の端子２９がカシメ付けられている。
また、前記抵抗体基板２８を仮止めしたスペーサ２７の上方から、鉄板等からなる取付板３０がかぶせられて、該取付板３０に形成されている４本の取付脚３０ａを、前記筺体２３の前面の段部２３ｇに折り曲げ等でカシメ付けられて、本発明の回転型電気部品は構成されている。
【００２２】
前述のような構成の本発明の回転型電気部品の組立を図６の分解斜視図を基に説明する。
まず、筺体２３の側板２３ｂに突出形成されている角形突起２３ｃに、板バネ２４の舌片２４ｆを有する角孔２４ｅを圧入治具（図示せず）を用いて圧入する。すると、ハ状に形成されている舌片２４ｆの先端が角形突起２３ｃのＴ状の鍔部に係止されて抜け止めされる。
そして、筺体２３の丸突起２３ｈに板バネ２４の丸孔２４ｇが挿入されて、前記丸突起２３ｈの先端をカシメ治具（図示せず）でカシメて、板バネ２４を筺体２３の側板２３ｂに固定する。
次に、操作軸２１の摘み部２１ａを図示しない組立治具に直立状態で取り付ける。そして、この操作軸２１に、前記板バネ２４を取り付けた筺体２３の軸受け部２２を挿入して、操作軸２１の嵌合部２１ｃに軸受け部２２の軸孔２２ａを嵌合させる。
【００２３】
次に、前記筺体２３の開放内部に位置している操作軸２１のスリ落とし部２１ｃに、摺動子片２６を取り付けた回転体２５の、小判形状の軸孔２５ｃを挿入する。そして、操作軸２１のスリ落とし部２１ｄの先端の段部２１ｆを、図１に示す矢印Ａ方向からカシメ治具（図示せず）でカシメ付けると、操作軸２１に回転体２５が抜け止めされて一体化される。そして、前記操作軸２１を回転させると、筺体２３の開放内部で回転体２５も一緒にガタなく回転する。
このとき、前記板バネ２４のクリック用アーム部２４ｂの凸部２４ｊが回転体２５の凹凸部２５ｅに弾性付勢し、前記バネ部２４ｄの回転トルク用湾曲部２４ｋが回転体２５の平坦部２５ｄに弾性付勢する。
一方、複数の端子２９が取り付けられた抵抗基板２８を前記スペーサ２７の段部２７ｂに位置決めしてから、手作業等で抵抗基板２８を下方に押圧し、該抵抗基板２８をスペーサ２７のフック２７ｃに係止して仮止めしておき、該ユニットの抵抗パターン２８ａを下面側にして、前記筺体２３の側壁２３ａのスペーサ取付突起２３ｅにスペーサ２７を仮止めし、スペーサ２７の段部２７ｆが回転体２５の円形部２５ａの上面外周寄りに当接するように組み込む。
このとき、前記抵抗体パターン２８ａは前記回転体２５に取り付けられた摺動子片２６に弾接する。
【００２４】
次に、前記抵抗体基板２８を取り付けたスペーサ２７の上方から、取付板３０の４本の取付脚３０ａを、スペーサ２７の側面のガイド溝２７ｄおよび筺体２３の側面のガイド溝２３ｆに挿入すると、前記取付脚３０ａが前記それぞれのガイド溝２７ｄ・２３ｆに案内されて、前記筺体２３の側板２３ｂの前面から取付脚３０ａの先端が出っ張る。このとき、前記それぞれの取付脚３０ａは筺体２３のガイド溝２３ｆの途中に形成されている突起２３ｋにより、前記ガイド溝２３ｆから外方に広がらないようになっている。
そして、前記筺体２３の前面から出っ張った取付脚３０ａの先端を、図示しないカシメ治具を使って筺体２３の前面の段部２３ｇに折り曲げてカシメ付けると、前記スペーサ２７および抵抗体基板２８が筺体２３に固定され、且つ前記回転体当接部材であるスペーサ２７の段部２７ｆが、前記回転体２５の円形部２５ａの上面の外周寄りと当接して本発明の回転型電気部品の組立が終了する。
【００２５】
前述したような本発明の回転型電気部品は、筺体２３に取り付けた板バネ２４のバネ部２４ｄの回転トルク用湾曲部２４ｋを、前記軸受け部２２と回転体２５の平坦部２５ｄとの間に弾接狭持して板バネ２４と回転体２５の摩擦力、および回転体２５と段部２７ｆの摩擦力により操作軸２１に回転トルクを生じさせ、前記クリック用アーム部２４ｂの先端部の凸部２４ｊを、前記回転体２５の凹凸部２５ｅに係脱させて操作軸２１に所定のクリック感を生じさせることができる。
【００２６】
また、本発明の回転型電気部品は１つの板バネ２４で、操作軸２１に回転トルクとクリック感とを生じさせることができる。
また、前記実施形態では、固定部材を、軸受け部２２と筺体２３とで構成したもので説明したが、何れか一方で構成しても良く、また、クリック用の凹凸部２５ｅを回転体２５に設けたもので説明したが、固定部材に凹凸部を設け、この凹凸部に、回転体２５に取り付けた板バネ２４を係脱させるようにしても良い。
なお、本発明の実施の形態の説明では、回転型電気部品を可変抵抗器を例に説明したが、本発明は可変抵抗器に限定されるものではなく、回転型のスイッチ、あるいは磁気エンコーダ等にも適用できる。
【００２７】
【発明の効果】
本発発明の回転型電気部品は、クリック用の板バネ２４のアーム部２４ｂに、折曲げによってクリック用の凸部２４ｊを設け、この凸部２４ｊを凹凸部２５ｅに係脱させるようにしたため、強いクリックに必要な大きな凸部２４ｊを容易に、、自由に形成でき、強いクリックを得るに好適な回転型電気部品を提供できる。
また、電気部品が小型化に成っても、凸部２４ｊは折曲げによるため、大きな凸部２４ｊを形成でき、小型の電気部品においても強いクリックを得ることが出来る。
また、凸部２４ｊは折曲げによるため、その肉厚は、従来の絞り加工に比して薄くなることが無く、長寿命のクリックを得ることが出来る。
【００２８】
また、板バネ２４に、回転トルク用のバネ部２４ｄを連結して一体に形成したため、部品点数が少なく、組立性が良好で、安価な電気部品を提供できる。
更に、板バネ２４は、固定部材、又は回転体に取りけられるため、従来のように操作軸で支持されるものに比して、板バネ２４の支持が強固となり、所定の位置でクリック感を生じさせることが出来る。
【図面の簡単な説明】
【図１】本発明の回転型電気部品の要部断面図。
【図２】本発明の回転型電気部品の筺体の正面図と側面図。
【図３】本発明と回転型電気部品の弾性部材の正面図と側面図。
【図４】本発明の回転型電気部品の回転体に摺動子片を取り付けた概略図。
【図５】本発明の回転型電気部品のスペーサの正面図と側面図。
【図６】本発明の回転型電気部品の分解斜視図。
【図７】従来の回転型電気部品の要部断面図。
【図８】従来の回転型電気部品の板バネの正面図。
【図９】従来の回転型電気部品の板バネの側面図。
【図１０】従来の回転型電気部品のバネワッシャの斜視図。
【図１１】従来の回転型電気部品の板バネと軸受けとの概略構成図。
【符号の説明】
２１  操作軸
２２  軸受け部
２３  筺体
２４  板バネ
２４ｂ  アーム部
２４ｄ  バネ部
２４ｊ  凸部
２４ｍ  凸部
２５  回転体
２５ｅ  凹凸部
２６  摺動子片
２７  スペーサ
２８  抵抗体基板
２９  端子
３０  取付板
【図１】
0003549362.tif 000002
【図２】
0003549362.tif 000003
【図３】
0003549362.tif 000004
【図４】
0003549362.tif 000005
【図５】
0003549362.tif 000006
【図６】
0003549362.tif 000007
【図７】
0003549362.tif 000008
【図８】
0003549362.tif 000009
【図９】
0003549362.tif 000010
【図１０】
0003549362.tif 000011
【図１１】
0003549362.tif 000012